(57)【要約】【課題】空間的に制限された場所の側壁面にコンセントが配設されている場合でも、プラグ差込口に差し込み装着されているカバー体の取り外しを迅速，容易に行うことのできるコンセントカバーを提供する。【解決手段】板状のカバー体１の一側面１ａに、コンセント３０のプラグ差込口３１に挿入可能な電気絶縁性の突起体２，３が形成され、カバー体１の他側面には指掛け部Ｂが設けられている。【選択図】図１
2017199568.tif 000002
【特許請求の範囲】
【請求項１】
板状のカバー体の一側面に、コンセントのプラグ差込口に挿入可能な電気絶縁性の突起体が形成され、前記カバー体の他側面には指掛け部が設けられているコンセントカバー。
【請求項２】
前記指掛け部は、前記カバー体の他側面から外方側に突出する指掛け姿勢と前記カバー体の他側面に沿う又は略沿う格納姿勢とに変更自在に構成されている請求項１記載のコンセントカバー。
【請求項３】
前記指掛け部は、前記カバー体に設けられた取付け部に水平軸芯周りで起伏揺動自在に枢支され、前記指掛け部の自重による垂下姿勢が前記格納姿勢に構成されている請求項２記載のコンセントカバー。
【請求項４】
前記指掛け部が前記格納姿勢にあるとき、当該指掛け部と前記カバー体の他側面との間に隙間が形成されている請求項２又は３記載のコンセントカバー。
【発明の詳細な説明】
【技術分野】
【０００１】
本発明は、コンセントのプラグ差込口の前面側を覆うコンセントカバーに関する。
【背景技術】
【０００２】
コンセントのプラグ差込口が使用されないまま露出状態で放置されると、プラグ差込口から細かな塵埃がコンセントの内部に侵入したり、或いは、コンセントの表面におけるプラグ差込口の開口周縁に塵埃が付着堆積する可能性があり、そのまま放置し続けると、トラッキング現象を誘発する問題がある。
そこで、従来では、例えば、特許文献１，２に示すように、コンセントの不使用時にプラグ差込口の前面側を覆うコンセントカバーが提案されている。このコンセントカバーは、電気絶縁性を有する板状のカバー体の一側面に、コンセントのプラグ差込口に挿入可能な突起体が一体形成されている。
カバー体の一側面における突起体の形成部位以外の領域は、カバー体の突起体をコンセントのプラグ差込口に対して最大差し込み位置にまで挿入したとき、コンセントの表面に接触又は近接する平滑面に構成されている。さらに、カバー体の他側面も平滑面に構成されている。
【先行技術文献】
【特許文献】
【０００３】
【特許文献１】実開昭５８−１３０３７５号公報
【特許文献２】実開平０９−０３５８０３号公報
【発明の概要】
【発明が解決しようとする課題】
【０００４】
上述のコンセントカバーでは、カバー体の他側面に対する押し込み操作でカバー体の突起体をコンセントのプラグ差込口に最大限に挿入したとき、カバー体の一側面はコンセントの表面に接触又は近接した状態にある。そのため、カバー体と突起体とによりプラグ差込口への塵埃等の侵入を防止することができる。反面、コンセントの使用再開に際して、プラグ差込口に差し込み装着されているコンセントカバーのカバー体を手で掴んで引き抜く必要があるが、コンセントの表面に接触又は近接するカバー体の周側面は掴み難く、且つ、引き抜き力を加え難いため、コンセントカバーの取り外しに手間取り易い。
【０００５】
しかも、コンセントには、プラグ差込口に差し込まれたプラグの電源用栓刃（電極刃）を弾性挾持可能で、且つ、電源と接続されるは刃受けばね（電極刃受け部）が内装されている。そのため、コンセントのプラグ差込口に差し込み装着されているコンセントカバーの突起体も刃受けばねで弾性挾持されるため、コンセントカバーの引き抜き操作力が大きくなる。特に、刃受けばねの弾性挾持力を高めて接触抵抗値を下げる構造が採用されているコンセントの場合には、コンセントカバーの引き抜き操作力が更に大きくなり、コンセントカバーの取り外しに一層手間取り易い。
【０００６】
また、近年では、ＩＨクッキングヒータに対応した２００Ｖ用コンセントが、ガス調理器に対応するガス栓の近傍で、調理台のキャビネットの内側壁や調理器設置部の後方側壁など、空間的に制限された場所の側壁面に配設される形態が採用されているため、コンセントの表面に接触又は近接するカバー体の周側面に対する掴み操作が難しくなり、コンセントカバーの取り外しにより手間取り易い。
【０００７】
この実情に鑑み、本発明の主たる課題は、空間的に制限された場所の側壁面にコンセントが配設されている場合でも、プラグ差込口に差し込み装着されているカバー体の取り外しを迅速，容易に行うことのできるコンセントカバーを提供する点にある。
【課題を解決するための手段】
【０００８】
本発明による第１の特徴構成は、板状のカバー体の一側面に、コンセントのプラグ差込口に挿入可能な電気絶縁性の突起体が形成され、前記カバー体の他側面には指掛け部が設けられている点にある。
【０００９】
上記構成によれば、カバー体の突起体をコンセントのプラグ差込口に差し込み装着したとき、カバー体及び突起体によってプラグ差込口への塵埃や水等の侵入を防止することができる。
しかも、コンセントの使用再開に際して、プラグ差込口に差し込み装着されているコンセントカバーを引き抜く場合には、カバー体の他側面に設けられている指掛け部に手指を掛けるという簡易な動作でありながら、カバー体に対して引き抜き力を的確、容易に加えることができる。
したがって、空間的に制限された場所の側壁面にコンセントが配設されている場合でも、カバー体の取り外しを手指操作で迅速，容易に行うことができる。
【００１０】
本発明による第２の特徴構成は、前記指掛け部は、前記カバー体の他側面から外方側に突出する指掛け姿勢と前記カバー体の他側面に沿う又は略沿う格納姿勢とに変更自在に構成されている点にある。
【００１１】
上記構成によれば、カバー体の突起体をコンセントのプラグ差込口に差し込み装着した状態では、指掛け部をカバー体の他側面に沿う又は略沿う格納姿勢にすることにより、指掛け部の外方への張り出し量が少なくなり、コンセントカバーをコンパクトに収納することができる。
それでいて、プラグ差込口に差し込み装着されているコンセントカバーを引き抜く場合には、格納姿勢にある指掛け部をカバー体の他側面から外方側に突出する指掛け姿勢に変更することにより、指掛け部を容易に手指で操作することができる。
【００１２】
本発明による第３の特徴構成は、前記指掛け部は、前記カバー体に設けられた取付け部に水平軸芯周りで起伏揺動自在に枢支され、前記指掛け部の自重による垂下姿勢が前記格納姿勢に構成されている点にある。
【００１３】
上記構成によれば、カバー体の他側面から外方側に突出する指掛け姿勢にある指掛け部から手指を離すと、指掛け部は水平軸芯周りで自重で垂下姿勢に揺動して格納姿勢に変更されるため、指掛け部の格納姿勢への変更操作を確実、容易に行うことができる。
【００１４】
本発明による第４の特徴構成は、前記指掛け部が前記格納姿勢にあるとき、当該指掛け部と前記カバー体の他側面との間に隙間が形成されている点にある。
【００１５】
上記構成によれば、格納姿勢にある指掛け部に手指を掛けて指掛け姿勢に変更する際、カバー体の他側面との間に形成されている隙間の分だけ指掛け部が手前側に位置することになる。これにより、指掛け部に手指を掛け易くなり、指掛け姿勢への変更操作を容易に行うことができる。
【図面の簡単な説明】
【００１６】
【図１】第１実施形態のコンセントカバーとコンセントとプラグとの使用関係を示す斜視図
【図２】コンセントカバーの指掛け部の格納姿勢（ａ）と指掛け姿勢（ｂ）を示す斜視図
【図３】コンセントカバーの正面図（ａ）、右側面図（ｂ）、背面図（ｃ）、平面図（ｄ）、底面図（ｅ）
【図４】第２実施形態のコンセントカバーの指掛け部の格納姿勢（ａ）と指掛け姿勢（ｂ）を示す斜視図
【図５】第３実施形態のコンセントカバーの指掛け部の格納姿勢（ａ）と指掛け姿勢（ｂ）を示す斜視図
【発明を実施するための形態】
【００１７】
〔第１実施形態〕
図１は、使用されていないコンセント３０のプラグ差込口３１に差し込み装着される電気絶縁性のコンセントカバーＡを示す。このコンセントカバーＡが装着対象とするコンセント３０としては、従来から種々の形態のものが存在し、そのうちの一例として、本実施形態においては、単相２００Ｖ用の接地極付きのコンセント３０を例示している。
このコンセント３０のケース３２の前面３２ａには、プラグ４０における一対の平板状に形成された電源用の栓刃（電極刃）４１が挿入される二つの第１栓刃挿入口３３と、プラグ４０における横断面Ｕ字状の半筒状に形成された接地用の栓刃（接地極刃）４２が挿入される一つの第２栓刃挿入口３４とが形成されている。この二つの第１栓刃挿入口３３と一つの第２栓刃挿入口３４とをもって上述のプラグ差込口３１が構成されている。
また、コンセント３０のケース３２内には、両第１栓刃挿入口３３の各々に挿入されたプラグ４０の電源用の栓刃４１を導電状態で弾性挾持する一対の第１バネ片３５ａを備えた第１刃受けばね（電極刃受け部）３５と、第２栓刃挿入口３４に挿入されたプラグ４０の接地用の栓刃４２を導電状態で弾性挾持する一対の第２バネ片３６ａを備えた第２刃受けばね（接地極刃受け部）３６が設けられている。
【００１８】
次に、コンセントカバーＡについて詳述する。
図１〜図３に示すように、コンセント３０の両第１栓刃挿入口３３及び第２栓刃挿入口３４の前面側を同時に覆うことが可能な大きさの板状のカバー体１の一側面１ａに、コンセント３０の両第１栓刃挿入口３３に挿入可能な左右一対の平板状の第１突起体２と、第２栓刃挿入口３４に挿入可能な横断面Ｕ字状の半筒状に形成された第２突起体３とが一体形成されている。両第１突起体２は、カバー体１の一側面１ａの上下中央位置よりも少し上方に偏倚した位置に左右方向に沿って一直線状に配設され、第２突起体３は、両第１突起体２間の下方側の左右中央位置に配設されている。
カバー体１と両第１突起体２と第２突起体３は、電気絶縁性を有する難燃性又は自己消火性樹脂で一体成形されている。本実施形態においては、難燃性樹脂の一例である難燃性ＡＢＳ樹脂（ＡＢＳ−ＦＲ）で一体成形されている。
【００１９】
カバー体１の一側面１ａにおける両第１突起体２及び第２突起体３以外の領域は、カバー体１の他側面１ｂに対する押し込み操作で両第１突起体２及び第２突起体３をコンセント３０の両第１栓刃挿入口３３及び第２栓刃挿入口３４に最大差し込み位置にまで挿入したとき、ケース３２の前面３２ａに密着又は略密着状態で接触する平滑面に構成されている。
それ故に、カバー体１の両第１突起体２及び第２突起体３がコンセント３０の両第１栓刃挿入口３３及び第２栓刃挿入口３４に最大差し込み位置にまで挿入された状態では、カバー体１の一側面１ａとケース３２の前面３２ａとが接触又は近接する。そのため、カバー体１と両第１突起体２及び第２突起体３とにより、コンセント３０の両第１栓刃挿入口３３及び第２栓刃挿入口３４への塵埃や水等の侵入を防止することができる。
【００２０】
また、図１に示すように、各第１突起体２の幅、厚みは、プラグ４０の電源用の栓刃４１の幅、厚みと同一又は略同一に構成され、各第１突起体２の突出長さＬ１は、コンセント３０の第１栓刃挿入口３３に対して最大差し込み位置にまで挿入したとき、第１刃受けばね３５の両第１バネ片３５ａ間において弾性挾持される長さ、つまり、ケース３２の前面３２ａから第１刃受けばね３５の両第１バネ片３５ａの所定挾持位置までの間隔に相当する突出長さに構成されている。本実施形態においては、各第１突起体２の突出長さＬ１は、ケース３２の前面３２ａから両第１バネ片３５ａの弾性挾持領域における最奥側の挾持位置までの間隔Ｌ３に相当する突出長さに構成されている。
【００２１】
第２突起体３の外側面の幅、高さは、プラグ４０の接地用の栓刃４２の幅、高さと同一又は略同一に構成され、第２突起体３の突出長さは、上述の第１突起体２と同様に、コンセント３０の第２栓刃挿入口３４に対して最大差し込み位置にまで挿入したとき、第２刃受けばね３６の両第２バネ片３６ａ間において弾性挾持される長さ、つまり、ケース３２の前面３２ａから第２刃受けばね３６の両第２バネ片３６ａの所定挾持位置までの間隔に相当する突出長さに構成されている。本実施形態においては、第２突起体３の突出長さは、ケース３２の前面３２ａから両第２バネ片３６ａの弾性挾持領域における最奥側の挾持位置までの間隔に相当する突出長さに構成されている。
【００２２】
それ故に、カバー体１の両第１突起体２及び第２突起体３がコンセント３０の両第１栓刃挿入口３３及び第２栓刃挿入口３４に最大限に挿入された状態では、各第１突起体２の先端部が第１刃受けばね３５の両第１バネ片３５ａ間に弾性挾持され、且つ、第２突起体３の先端部が第２刃受けばね３６の両第２バネ片３６ａ間に弾性挾持されるので、コンセントカバーＡを差し込み姿勢に確実に保持することができる。
【００２３】
そして、本発明のコンセントカバーＡにおいては、図２、図３に示すように、カバー体１の他側面１ｂに、当該カバー体１の他側面１ｂから外方側に突出する指掛け姿勢とカバー体１の他側面１ｂに沿う又は略沿う格納姿勢とに変更自在な指掛け部Ｂが設けられている。
この指掛け部Ｂは、半円弧状に湾曲する指掛け杆５と、当該指掛け杆５の両基端部５ａの外側面から水平方向の外方側に突出する揺動支点軸６とからなり、電気絶縁性を有する難燃性又は自己消火性樹脂で一体成形されている。本実施形態においては、カバー体１と同様に、難燃性樹脂の一例である難燃性ＡＢＳ樹脂で一体成形されている。
指掛け部Ｂの両揺動支点軸６は、カバー体１の他側面１ｂにおける水平方向の左右両側部位に一体的に突出形成された板状の取付け部７の枢支孔７ａに水平軸芯周りで起伏揺動自在に枢支され、指掛け部Ｂの指掛け杆５の自重による垂下姿勢が上述の格納姿勢に構成されている。
【００２４】
上述の構成により、プラグ差込口３１に差し込み装着されているコンセントカバーＡを引き抜く際、カバー体１の他側面１ｂに設けられている指掛け部Ｂの指掛け杆５に手指を掛けるという簡易な動作でありながら、カバー体１に対して引き抜き力を的確、容易に加えることができる。
それ故に、ガス調理器に対応するガス栓の近傍で、調理台のキャビネットの内側壁や調理器設置部の後方側壁など、空間的に制限された場所の側壁面にコンセント３０が配設されている場合でも、コンセントカバーＡの取り外しを手指操作で迅速，容易に行うことができる。
また、カバー体１の両第１突起体２及び第２突起体３がコンセント３０の両第１栓刃挿入口３３及び第２栓刃挿入口３４に挿入されている状態では、指掛け部Ｂが自重で垂下して、指掛け部Ｂをカバー体１の他側面１ｂに沿う又は略沿う格納姿勢に変更することができるので、指掛け部Ｂの外方への張り出し量が少なくなり、コンセントカバーをコンパクトに収納することができる。
【００２５】
図３（ｂ）に示すように、両取付け部７の枢支孔７ａは、カバー体１の他側面１ｂから外方側に所定間隔だけ離れた位置に形成されているため、指掛け部Ｂの指掛け杆５が自重で垂下した格納姿勢にあるとき、当該指掛け部Ｂの指掛け杆５とカバー体１の他側面１ｂとの間に隙間８が形成されている。
そのため、格納姿勢にある指掛け部Ｂの指掛け杆５に手指を掛けて指掛け姿勢に変更する際、カバー体１の他側面１ｂとの間に形成されている隙間８の分だけ指掛け部Ｂの指掛け杆５が手前側に位置することになる。これにより、指掛け部Ｂの指掛け杆５に手指を掛け易くなり、指掛け姿勢への変更操作を容易に行うことができる。
【００２６】
さらに、カバー体１の他側面１ｂの周縁の少なくとも一部、本実施形態では、上下中央部位を除く上側周縁部位及び下側周縁部位には、半円弧状の壁部（突起部又は厚肉部）９が一体的に突出形成されている。
そのため、上下の半円弧状の壁部９によってカバー体１の撓みによる反り変形を抑制することができる。これにより、プラグ差込口３１に差し込み装着されているコンセントカバーＡを引き抜く際、指掛け部Ｂの指掛け杆５に加えられた引き抜き力によるカバー体１の反り変形を抑制することができ、このカバー体１の反り変形による両第１突起体２及び第２突起体３の先開きに起因する引き抜き抵抗の増大を抑制することができる。
【００２７】
〔第２実施形態〕
図４は、コンセントカバーＡの指掛け部Ｂの別実施形態を示す。この別実施形態の指掛け部Ｂを構成する指掛け杆１０の両基端部１０ａは、当該指掛け杆１０の最大幅相当部位から幅方向内方側に絞り込んだ小幅状態で平行に形成されている。この指掛け杆１０の両基端部１０ａの内側面には、水平方向の内方側に突出する揺動支点軸１１が一体形成されている。指掛け部Ｂの両揺動支点軸１１を水平軸芯周りで起伏揺動自在に枢支するための枢支孔１２ａを備えた板状の両取付け部１２は、カバー体１の他側面１ｂの中央部側に配設されている。
そのため、プラグ差込口３１に差し込み装着されているコンセントカバーＡを引き抜く際、指掛け部Ｂの指掛け杆１０に加えられた引き抜き力によるカバー体１の撓みによる反り変形を一層抑制することができる。それ故に、カバー体１の反り変形による両第１突起体２及び第２突起体３の先開きに起因する引き抜き抵抗の増大を抑制することができる。
尚、その他の構成は、第１実施形態で説明した構成と同一であるから、同一の構成箇所には、第１実施形態と同一の番号を付記してそれの説明は省略する。
【００２８】
〔第３実施形態〕
図５は、コンセントカバーＡの指掛け部Ｂの別実施形態を示す。この別実施形態の指掛け部Ｂは、帯状に形成されたＵ字状に屈曲可能な可撓性の把持バンド２０の両端部に、カバー体１の他側面１ｂに形成された両取付け部２２の係合孔２２ａに対して一定範囲内で移動自在に貫通し、且つ、両取付け部２２の外側面との係合によって抜止め保持される係合爪２１を一体形成して構成されている。
そのため、指掛け部Ｂの把持バンド２０をカバー体１の他側面１ｂに略直線状に伸展させた状態では、指掛け部Ｂの両係合爪２１と両取付け部２２の外側面との間に、把持バンド２０を指掛け可能なＵ字状に引き出すための移動代Ｌ４が形成されている。
これにより、指掛け部Ｂは、把持バンド２０がカバー体１の他側面１ｂから外方側にＵ字状に突出する指掛け姿勢と、カバー体１の他側面１ｂに接触した状態で当該他側面１ｂに沿って略直線状に伸展させた格納姿勢とに変更自在に構成されている。
【００２９】
指掛け部Ｂの把持バンド２０の長手方向中央部には、指掛け部Ｂが格納姿勢にある状態でカバー体１の他側面１ｂから外方側に突出する略Ｖ字状の摘み部２０ａが形成されている。
また、両係合爪２１の各々には、取付け部２２の係合孔２２ａを通過可能な状態にまで幅方向での縮小変形を許容するスリット２１ａが形成されている。
尚、その他の構成は、第１実施形態で説明した構成と同一であるから、同一の構成箇所には、第１実施形態と同一の番号を付記してそれの説明は省略する。
【００３０】
〔その他の実施形態〕
（１）上述の第１実施形態では、単相２００Ｖ用の接地極付きのコンセント３０に対するコンセントカバーＡについて説明したが、この構成に限定されるものではない。例えば、単相２００Ｖ用の一般（接地極なし）のコンセント３０に対するコンセントカバーＡの場合には、コンセント３０のプラグ差込口３１が、水平方向に一直線状に配置される左右一対の栓刃挿入口から構成されるため、カバー体１の一側面１ａには、コンセント３０の両栓刃挿入口に挿入可能な横向き姿勢の左右一対の突起体のみを形成することになる。
また、単相１００Ｖ用の一般（接地極なし）のコンセント３０に対するコンセントカバーＡの場合には、コンセント３０のプラグ差込口３１が上下方向に沿って平行に配置される左右一対の栓刃挿入口から構成されるため、カバー体１の一側面１ａには、コンセント３０の両栓刃挿入口に挿入可能な縦向き姿勢の左右一対の突起体のみを形成することになる。
さらに、三相２００Ｖ用の接地極付きのコンセント３０に対するコンセントカバーＡの場合には、コンセント３０のプラグ差込口３１が、プラグ４０の三つの電源用の栓刃が挿入される三つのコの字状配置の第１栓刃挿入口と一つの接地用の栓刃が挿入される一つの第２栓刃挿入口とから構成されるため、カバー体１の一側面１ａには、コンセント３０の三つの第１栓刃挿入口に挿入可能な三つのコの字状配置の第１突起体と、一つの第２栓刃挿入口に挿入可能な一つの第２突起体とを形成することになる。
要するに、カバー体１の一側面１ａに形成される突起体２，３の数、形状、配置は、装着対象となるコンセント３０のプラグ差込口３１の形態に応じて適宜変更することができる。
【００３１】
（２）上述の第１実施形態では、コンセントカバーＡのカバー体１の輪郭形状を円形に形成したが、この構成に限定されるものではない。例えば、カバー体１の輪郭形状を四角形や六角形等に形成してもよい。
【００３２】
（３）上述の第１実施形態では、カバー体１の両第１突起体２及び第２突起体３がコンセント３０の両第１栓刃挿入口３３及び第２栓刃挿入口３４に最大限に挿入操作されたとき、カバー体１の一側面１ａが、コンセント３０のケース３２の前面３２ａに接触又は近接するように構成したが、この構成に限定されるものではない。例えば、カバー体１の一側面１ａに、プラグ差込口３１を囲む状態でコンセント３０のケース３２の前面３２ａに接触する弾性シール材を設けて実施してもよい。
【００３３】
（４）上述の各実施形態では、カバー体１と両第１突起体２と第２突起体３とを、電気絶縁性を有する難燃性又は自己消火性樹脂で一体成形したが、この構成に限定されるものではない。例えば、コンセントカバーＡの少なくとも両第１突起体２と第２突起体３とを電気絶縁性を有する難燃性又は自己消火性樹脂で製作するとよい。
【符号の説明】
【００３４】
１      カバー体
１ａ    一側面
１ｂ    他側面
２      突起体（第１突起体）
３      突起体（第２突起体）
７      取付け部
８      隙間
１２    取付け部
３０    コンセント
３１    プラグ差込口
Ｂ      指掛け部
【図１】
2017199568.tif 000003
【図２】
2017199568.tif 000004
【図３】
2017199568.tif 000005
【図４】
2017199568.tif 000006
【図５】
2017199568.tif 000007